(57)【要約】    【課題】回転表示手段の大きさを制限することなく画像表示手段を大型化することができるようにする。    【解決手段】遊技機本体１の前面側にパネル式の画像表示手段１９を、画像表示手段１９の下側にリール式の回転表示手段２１を夫々備える。回転表示手段２１の上部側を裏側から着脱自在に取り付ける上取り付け枠５１を遊技機本体１に設け、上取り付け枠５１よりも前側に画像表示手段１９を配置する。【選択図】    図４
2008279053.tif 000002
【特許請求の範囲】
【請求項１】
遊技機本体（１）の前面側にパネル式の画像表示手段（１９）を、該画像表示手段（１９）の下側にリール式の回転表示手段（２１）を夫々備えた遊技機において、前記回転表示手段（２１）の上部側を裏側から着脱自在に取り付ける上取り付け枠（５１）を前記遊技機本体（１）に設け、該上取り付け枠（５１）よりも前側に前記画像表示手段（１９）を配置したことを特徴とする遊技機。
【請求項２】
前記遊技機本体（１）の前パネル（６）に、前記回転表示手段（２１）の回転リール（２０）の前部（２０ａ）が裏側から嵌合する下開口部（５０）と、該下開口部（５０）の上下両側で左右方向に配置され且つ前記回転表示手段（２１）を取り付ける前記上取り付け枠（５１）及び下取り付け枠（５２）とを備え、前記回転リール（２０）の前部（２０ａ）の上側で前記前パネル（６）の画像表示窓（１７）の裏側に、前記画像表示手段（１９）を収容する収容部（５９）を設けたことを特徴とする請求項１に記載の遊技機。
【請求項３】
前記前パネル（６）に前記収容部（５９）に対応する上開口部（４９）を設け、該上開口部（４９）を経て前記前パネル（６）の裏側から前記収容部（５９）に前記画像表示手段（１９）を出し入れ自在に挿入したことを特徴とする請求項２に記載の遊技機。
【請求項４】
前記前パネル（６）のパネル本体（４２）に中横枠部（４７）を介して前記画像表示手段（１９）用の前記上開口部（４９）と前記回転表示手段（２１）用の前記下開口部（５０）とを設け、前記中横枠部（４７）の裏側に前記上取り付け枠（５１）を設け、前記パネル本体（４２）の前面側に前記上開口部（４９）に対応して前記収容部（５９）を設けたことを特徴とする請求項３に記載の遊技機。
【請求項５】
前記画像表示手段（１９）の下端は、前記上取り付け枠（５１）よりも下側に位置していることを特徴とする請求項２〜４の何れかに記載の遊技機。
【請求項６】
前記収容部（５９）を有する窓枠（４３）を前記パネル本体（４２）の前面に装着し、前記収容部（５９）側の前記窓枠（４３）の下部は前記上取り付け枠（５１）よりも下側で前記回転表示手段（２１）用の回転表示窓（１８）の上側近傍に位置することを特徴とする請求項４に記載の遊技機。
【請求項７】
前記画像表示手段（１９）の下部側は前後方向に薄い偏平状であり、該画像表示手段（１９）の上部裏側に前記上開口部（４９）を経て後方に突出する突出部（３７）を有することを特徴とする請求項３、４、６の何れかに記載の遊技機。
【請求項８】
前記画像表示手段（１９）は、画像表示パネル（３２）と、該画像表示パネル（３２）を支持する保持枠（３０）とを備え、前記保持枠（３０）が左右両側の取り付け部（４１）を介して前記パネル本体（４２）の取り付け部（５３）に裏側から着脱自在であることを特徴とする請求項３、４、６又は７に記載の遊技機。
【発明の詳細な説明】
【技術分野】
【０００１】
本発明は、スロットマシン、パチンコ機等の遊技機に関し、液晶式の画像表示手段とリール式の回転表示手段とを上下に配置した遊技機において、画像表示手段の大型化を容易に促進できるようにしたものである。
【背景技術】
【０００２】
スロットマシン等の遊技機では、筐体の前側に開閉自在に枢着された前扉の上下方向の略中央に、各種のスイッチ等が装着された操作パネルを配置すると共に、この操作パネルの上側に開閉自在な前パネルを配置している。そして、前パネルの上部側に小さい矩形状の画像表示窓を、下部側に大きい矩形状の回転表示窓を夫々形成し、その画像表示窓の裏側に液晶表示手段等の画像表示手段を、回転表示窓の裏側にリール式の回転表示手段を夫々配置して、回転表示手段の各回転リールの回転、停止により遊技図柄の組み合わせ遊技を行う一方、画像表示手段で各種の演出画像を表示するようにしたものがある（特許文献１、２）。
【特許文献１】特開２００６−５０８号公報
【特許文献１】特開２００６−２８８８１０号公報
【発明の開示】
【発明が解決しようとする課題】
【０００３】
近時の各種の遊技機では、液晶式等の画像表示手段の大型化を図る傾向にある。しかし、この種のリール式の回転表示手段を備えた遊技機では、外周に多数の遊技図柄が表示された回転リールを用いるため、その遊技図柄の視認を容易にする必要から大型の回転表示手段が使用されており、構造的に回転表示手段の上側に十分なスペースを確保することが困難である。そのため回転表示手段の上側に液晶式等の画像表示手段を配置するに当たっても、小型の画像表示手段を用いざるを得ず、その大型化を図り難い欠点があった。
【０００４】
本発明は、このような従来の問題点に鑑み、回転表示手段の大きさを制限することなく画像表示手段を大型化することができる遊技機を提供することを目的とする。
【課題を解決するための手段】
【０００５】
本発明は、遊技機本体１の前面側にパネル式の画像表示手段１９を、該画像表示手段１９の下側にリール式の回転表示手段２１を夫々備えた遊技機において、前記回転表示手段２１の上部側を裏側から着脱自在に取り付ける上取り付け枠５１を前記遊技機本体１に設け、該上取り付け枠５１よりも前側に前記画像表示手段１９を配置したものである。
【発明の効果】
【０００６】
本発明では、回転表示手段２１の上部側を裏側から着脱自在に取り付ける上取り付け枠５１を遊技機本体１に設け、該上取り付け枠５１よりも前側に画像表示手段１９を配置しているため、回転表示手段２１の大きさを制限することなく画像表示手段１９を大型化することができる。
【発明を実施するための最良の形態】
【０００７】
以下、本発明の実施形態を図面に基づいて詳述する。図１〜図１０は本発明をスロットマシンとして具現化した第１の実施例を例示する。図１〜図３において、１は遊技機本体であり、筐体２と、この筐体２の前側に配置され且つ左右一端側のヒンジ（図示省略）により開閉自在に装着された矩形状の前扉３とを備えている。
【０００８】
筐体２は前側が開放する箱形に形成されており、その内部にメダル払い出し装置４等が設けられている。前扉３の前面側には上下方向の中間に操作パネル５が左右方向に設けられ、この操作パネル５の上側に前パネル６が、下側に前カバー７が夫々設けられている。また前扉３の下部にはメダル受け皿８等が設けられている。
【０００９】
操作パネル５は上面部９と前面部１０とを有し、その上面部９にメダル投入口１１、１ベットボタン１２、マックスベットボタン１３及びメダル精算ボタン１４が設けられ、また前面部１０にスタートレバー１５、ストップボタン１６等が設けられている。
【００１０】
前パネル６は前扉３に配置され左右一端側のヒンジ（図示省略）により開閉自在に枢着されている。この前パネル６には、その前面側に略同程度の大きさの横長矩形状の画像表示窓１７と回転表示窓１８が上下に近接して配置され、その画像表示窓１７に対応してパネル式の液晶表示手段１９が、回転表示窓１８に対応して左右方向に３個の回転リール２０を有するリール式の回転表示手段２１が夫々裏側に着脱自在に装着されている。
【００１１】
回転表示手段２１は、図４、図５にも示すように、横長矩形状の支持ケース２２と、支持ケース２２内に回転表示窓１８に対応して左右方向に近接して配置された３個の回転リール２０と、各回転リール２０を個別に駆動する３個の駆動モータ（図示省略）とを備え、各回転リール２０は回転開始後に、対応するストップボタン１６を操作することにより、その周方向に複数コマ、例えば３コマの遊技図柄が回転表示窓１８に対応するように停止する。
【００１２】
支持ケース２２は、図４、図６に示すように、その上壁部２３の前端から上側へと突出する上取り付け部２４と、下壁部２５の前端から下側へと突出する下取り付け部２６とが左右方向の略全長にわたって設けられている。上取り付け部２４は左右方向の複数箇所に起立部２７を有する。なお、上取り付け部２４は上壁部２３の前端側を、下取り付け部２６は下壁部２５の前端側を折り曲げて形成されている。
【００１３】
各回転リール２０は支持ケース２２に着脱自在に固定された支持板に駆動モータ等を介して横軸廻りに回転自在に支持され、その前部２０ａ側が支持ケース２２の前端から前側に突出している。なお、各回転リール２０内には、回転表示窓１８に対応する遊技図柄を照明するように、回転表示窓１８に対応して回転リール２０の内側に照明手段２８が支持板等に取り付けられている。
【００１４】
液晶表示手段１９は、図４〜図７に示すように、前端側が開口する保持枠兼用の保持ケース３０と、この保持ケース３０の開口に前側から嵌合する縁部材３１と、保持ケース３０内に収容され且つ縁部材３１に裏側から固定された液晶表示パネル３２とを備えている。
【００１５】
液晶表示パネル３２はドライバーユニット等の付属部品３３が裏側の上部寄りに装着されており、左右両側に突出する取り付け部３４を介してネジ等により縁部材３１の取り付け部３５に裏側から固定され、また縁部材３１は保持ケース３０に固定されている。
【００１６】
保持ケース３０は液晶表示パネル３２の裏側に近接する下後壁部３６と、この下後壁部３６の上側で後方に突出する突出部３７とを有する。このため液晶表示手段１９は下部側が下後壁部３６により前後方向に薄い偏平状であり、上部側に付属部品３３と干渉しないように後方へと突出する突出部３７を備えた形状となっている。
【００１７】
保持ケース３０の突出部３７には後部開口３８が形成され、その後部開口３８側に対応して裏カバー３９が着脱自在に装着されている。裏カバー３９内には、液晶表示パネル３２の駆動基板、その他の基板４０が装着されている。裏カバー３９は下側の係合爪３９ａと上側のネジ３９ｂとにより保持ケース３０に固定されている。
【００１８】
前パネル６は、図４〜図８に示すように、パネル本体４２と、このパネル本体４２の前側に装着された窓枠４３とを備え、パネル本体４２の前側下部に電飾表示部４４が設けられている。パネル本体４２は左右一対の側枠部４５と、一対の側枠部４５を左右に連結する上横枠部４６、中横枠部４７、下横枠部４８とを一体に備え、前面が平坦な略面一に形成され、また中横枠部４７を挟んで上下両側に液晶表示手段１９用の上開口部４９と回転表示手段２１用の下開口部５０とが矩形状に形成されている。
【００１９】
そして、パネル本体４２には、回転リール２０の前部側が下開口部５０から前側に突出するように、中横枠部４７、下横枠部４８の裏側の上取り付け枠５１、下取り付け枠５２を介して裏側から着脱自在に装着され、また液晶表示パネル３２側が上開口部４９を介して前側に突出して回転リール２０の前部２０ａと上下に相対応するように、側枠部４５側の取り付け部５３を介して裏側から着脱自在に装着されている。
【００２０】
下横枠部４８は、図４、図６、図７に示すように、下端から後方へと屈曲する下屈曲部４８ａを備えた略断面Ｌ字状に形成され、この下横枠部４８の裏側に、縦壁部５２ａと屈曲部５２ｂとを備えた略断面Ｌ字状の板金製の下取り付け枠５２がネジ等により固定されている。下取り付け枠５２の縦壁部５２ａには、回転表示手段２１の下取り付け部２６が裏側から当接され、左右方向に複数個のネジ５４により着脱自在に固定されている。
【００２１】
中横枠部４７は、図４、図６、図７に示すように、左右一対の側枠部４５に跨がって左右方向に配置されており、この中横枠部４７の左右両端と各側枠部４５との間に補強リブ５５が設けられている。この中横枠部４７の裏側に、回転表示手段２１の上取り付け部２４を着脱自在に取り付けるための上取り付け枠５１が設けられている。
【００２２】
上取り付け枠５１は、図４、図６、図７、図９、図１０に示すように、板金材を折り曲げて縦壁部５１ａの上下両側に後屈曲部５１ｂと前屈曲部５１ｃとを一体に形成したものであって、その前屈曲部５１ｃが中横枠部４７の左右方向の凹部４７ａに挿入され、また縦壁部５１ａが中横枠部４７の後面に裏側から左右方向に複数本のネジ５６等により着脱自在に固定されている。
【００２３】
上取り付け枠５１には、回転表示手段２１側の上取り付け部２４の起立部２７に対応して上側へと起立する起立部５１ｄが設けられ、またその起立部５１ｄの近傍に弾性係止片５７が設けられている。起立部５１ｄには回転表示手段２１の上取り付け部２４の起立部２７が裏側から当接され、裏側から螺合されたネジ５８により回転表示手段２１の上取り付け部２４が着脱自在に固定されている。
【００２４】
弾性係止片５７は回転表示手段２１の取り付けに際して、起立部２７，５１ｄ同士が当接又は近接した状態で上取り付け部２４を係止するためのもので、上取り付け枠５１の縦壁部５１ａと後屈曲部５１ｂとに跨がって固定されると共に、上取り付け枠５１の後方近傍に係止部５７ａと案内部５７ｂとが設けられている。そして、係止部５７ａで上取り付け部２４を係止し、案内部５７ｂで上取り付け部２４を係止部５７ａへと案内するようになっている。
【００２５】
なお、弾性係止片５７は上取り付け枠５１の後方近傍から後上がりに傾斜し、その後端から前下側へと側面視Ｕ字状に屈曲しており、そのＵ字状部の下側前端が係止部５７ａ、下面が係止部５７ａへの案内部５７ｂとなっている。
【００２６】
取り付け部５３は、図５、図７に示すように、保持ケース３０の左右の取り付け部４１に対応して上開口部４９の近傍で各側枠部４５から後方に突出している。そして、液晶表示手段１９は、前側の液晶表示パネル３２がパネル本体４２の前側の収容部５９に収容され、且つ後部側の突出部３７が上開口部４９から後方に突出するように取り付け部５３を介して裏側からネジ６０等によりパネル本体４２に着脱自在に装着されている。
【００２７】
窓枠４３は、図３〜図５、図８に示すように、回転表示窓１８の上縁近傍から左右両側近傍に跨がって門型状に形成された内周枠部６２と、この内周枠部６２との間に所定の間隔を置いて配置され且つ門型状に形成された外周枠部６３とを下端部で一体に接続して成り、パネル本体４２の前面から前側に突出するようにパネル本体４２の前面にネジ等により着脱自在に固定されている。
【００２８】
窓枠４３の内周枠部６２と外周枠部６３とは、その上辺部６２ａ，６３ａが上下方向に大きく離れており、その内周枠部６２と外周枠部６３との上辺部６２ａ，６３ａ間に、上開口部４９を経て裏側から挿入された液晶表示手段１９を収容する収容部５９が上開口部４９に対応して形成されている。内周枠部６２の上辺部６２ａ、即ち収容部５９の下端は、上取り付け枠５１よりも下側でパネル本体４２の中横枠部４７の下縁側、及び回転表示窓１８の上縁側の近傍に位置している。
【００２９】
このため液晶表示手段１９の液晶表示パネル３２を含む前側部分は、図９に示すように、下端が上取り付け枠５１よりも下側に位置し、且つ下部の前後方向に薄い偏平状の部分が中横枠部４７及び上取り付け枠５１よりも前側に位置するように収容部５９に収容されており、突出部３７が上開口部４９を介して後方に突出している。
【００３０】
窓枠４３内には、その内周枠部６２と外周枠部６３との間の前側に門型状の窓板６５が嵌め込まれている。窓板６５は上部側の広幅部６５ａと、この広幅部６５ａの左右両端部から回転表示窓１８の左右両側へと下方に延びる狭幅部６５ｂとを備え、その広幅部６５ａで液晶表示手段１９を前側から覆い、また狭幅部６５ｂで液晶表示手段１９及び回転表示手段２１の左右両側に配置されたパネル本体４２側の表示ランプ群６７等を前側から覆っている。
【００３１】
窓板６５には液晶表示手段１９に対応する透明な画像表示窓１７が広幅部６５ａに形成され、この画像表示窓１７を経て液晶表示手段１９に表示される演出画像等の画像を前側から視認できるようになっている。また表示ランプ群６７に対応する狭幅部６５ｂには、適宜キャラクタ、入賞役の組み合わせ等の画像が表示されており、例えば遊技中、又は所定の遊技状態になった場合に表示ランプが発光して、キャラクタ、入賞役の組み合わせ等の画像を裏側から照明するようになっている。
【００３２】
回転表示窓１８には３個の回転リール２０の前部２０ａを前から覆う円弧状の窓カバー６８が装着されている。窓カバー６８は回転表示窓１８を塞ぐようにパネル本体４２等に着脱自在に取り付けられている。電飾表示部４４は光透過性を有し且つキャラクタ等の画像が付された表示板４４ａと、表示板４４ａを裏側から照明する光源４４ｂと、光源４４ｂからの光を表示板４４ａ側へと反射する反射板４４ｃ等により構成されている。
【００３３】
なお、パネル本体４２の裏側には、その側枠部４５等の所要箇所に制御ボックス６９が着脱自在に装着されている。
【００３４】
上記構成において、前パネル６に回転表示手段２１を装着する場合には、各回転リール２０が下開口部５０と一致するように、回転表示手段２１の下取り付け部２６を前パネル６の下取り付け枠５２上に載せる。そして、下取り付け部２６側を支点として上取り付け部２４側を上取り付け枠５１側へと接近させると、回転リール２０の前部２０ａ側が下開口部５０に嵌合して回転表示窓１８に対応した状態で、上取り付け部２４が弾性係止片５７により係止される。その後、上下の各取り付け部２４，２６を裏側からネジ５８，５４により上下の各取り付け枠５１，５２に固定する。
【００３５】
前パネル６に液晶表示手段１９を装着する場合には、先ず液晶表示手段１９の下部側の偏平部分を上開口部４９を経て中横枠部４７、上取り付け枠５１の前側の収容部５９内へと挿入する。そして、その状態で液晶表示パネル３２を含む前部側の全体を画像表示窓１７に対応するように上開口部４９を経て収容部５９内へと嵌め込んで行く。その後、液晶表示手段１９の取り付け部４１をパネル本体４２の取り付け部５３に合わせて、両者をネジ６０により締結して液晶表示手段１９をパネル本体４２に固定する。
【００３６】
このように前パネル６に回転表示手段２１を裏側から着脱自在に取り付ける上取り付け枠５１を設けると共に、この上取り付け枠５１よりも前側の収容部５９に液晶表示手段１９を配置することにより、回転表示手段２１を容易に着脱でき、また回転表示手段２１の大きさを制限することなく液晶表示手段１９を容易に大型化できる。
【００３７】
即ち回転リール２０を使用するリール式の回転表示手段２１では、回転表示窓１８に対応する前部２０ａ側の上下方向の寸法がその後部側に比して小さくなるため、上取り付け枠５１よりも前側に液晶表示手段１９を配置することによって、回転リール２０の前部側に対応してその上側に液晶表示手段１９を配置できる。従って、液晶表示手段１９の下端を上取り付け枠５１よりも下側で回転表示窓１８の近傍に位置させる等、回転表示手段２１側を制限することなく液晶表示手段１９の上下幅を十分に確保でき、液晶表示手段１９の大型化を容易に図ることができる。
【００３８】
収容部５９に対応する上開口部４９を経て前パネル６の裏側から収容部５９に液晶表示手段１９を挿脱するようにした場合には、前側から着脱する場合に比して液晶表示手段１９の着脱を容易に行うことができる。また前パネル６のパネル本体４２に中横枠部４７を介して液晶表示手段１９用の上開口部４９と回転表示手段２１用の下開口部５０とが上下にあり、その中横枠部４７の裏側に上取り付け枠５１を設ける一方、パネル本体４２の前面側に上部側の上開口部４９に対応して収容部５９を設けることにより、パネル本体４２、収容部５９、上取り付け枠５１等を含む前パネル６側の構造を簡単にできる。
【００３９】
更に収容部５９を有する窓枠４３をパネル本体４２の前面に装着することにより、液晶表示手段１９の大型化を図るべく、収容部５９の下部が上取り付け枠５１よりも下側で回転表示窓１８の上側近傍に位置する構造を採用する場合でも、パネル本体４２、窓枠４３等の夫々の構造を簡単にでき、合成樹脂材で成型するに当たっても容易に成型できる。液晶表示手段１９は、液晶表示パネル３２を保持する保持ケース３０の左右両側の取り付け部４１を介してパネル本体４２に裏側から着脱することにより、液晶表示手段１９と回転表示手段２１とを上下に接近して配置でき、それだけ液晶表示手段１９を大型化することができる。
【００４０】
図１１は本発明の第２の実施例を例示する。この実施例では、パネル本体４２の前面にパネルカバー７０が着脱自在に装着されており、このパネルカバー７０に画像表示窓１７、回転表示窓１８が設けられている。そして、パネルカバー７０の画像表示窓１７の裏側には、液晶表示手段１９の液晶表示パネル３２を含む前部側を収容する収容部５９が形成されている。
【００４１】
このようにパネル本体４２の裏側の取り付け部５３に液晶表示手段１９を固定する場合には、画像表示窓１７の裏側に液晶表示手段１９を収容する収容部５９があれば十分である。
【００４２】
図１２は本発明の第３の実施例を例示する。この実施例では、パネル本体４２の前面の左右両側に取り付け部５３を設け、保持ケース３０等の保持枠の前部側の取り付け部４１をパネル本体４２の取り付け部５３に前側からネジ６０等により固定している。このように液晶表示手段１９はパネル本体４２に対して前側から装着してもよい。
【００４３】
以上、本発明の実施例について詳述したが、本発明はこの実施例に限定されるものではなく、本発明の趣旨を逸脱しない範囲で種々の変更が可能である。例えば、実施例では画像表示手段として液晶表示手段１９を、画像表示パネルとして液晶表示パネル３２を例示しているが、パネル式の画像表示手段があれば、液晶式と同様に実施することが可能である。
【００４４】
回転表示手段２１のパネル本体４２に対する取り付け方式は、ネジの他、クランプ手段、係合締結手段等を使用したものでもよい。従って、上取り付け枠５１、下取り付け枠５２の形状、構造は、回転表示手段２１の取り付け方式に応じて適宜変更してもよい。
【００４５】
パネル本体４２は側枠部４５、上横枠部４６、中横枠部４７、下横枠部４８を一体に備えた成型品を例示しているが、複数の部材を着脱自在に結合したものでもよい。また画像表示窓１７の窓枠４３は他の表示手段の窓枠４３と分離して設けてもよいし、一体に設けてもよい。
【００４６】
パネル本体４２の上開口部４９に嵌合する画像表示窓１７用の窓枠４３をパネル本体４２に着脱自在に設け、この窓枠４３に画像表示手段１９を裏側から着脱自在に取り付けるようにしてもよい。また画像表示手段１９は、その後部側を上開口部４９に嵌合するようにパネル本体４２に前側から着脱自在に取り付け、その画像を前側から覆う窓板６５をパネル本体４２、又はパネル本体４２の前側に装着された窓枠４３に取り付けるようにしてもよい。
【００４７】
画像表示手段１９に表示すべき画像は動画、静止画等の絵画像でもよいし、文字画像等でもよい。またその画像は、そのときの遊技状態を演出する演出画像でもよいし、遊技状態の発生を予告する予告画像、遊技状態の発生を報知する報知画像等でもよい。
【００４８】
前パネル６は後側に若干傾斜する後傾姿勢で遊技機本体１に装着しているが、鉛直姿勢に装着してもよいし、若干前側に傾斜する前傾姿勢で装着してもよい。また本発明はメダル投入式のスロットマシンの他、遊技媒体として遊技球を使用する形式のスロットマシン、更にはパチンコ機、アレンジボール機等の弾球遊技機でも同様に実施可能である。
【図面の簡単な説明】
【００４９】
【図１】本発明の第１の実施例を示すスロットマシンの正面図である。
【図２】同側面図である。
【図３】同前パネル側の前斜視図である。
【図４】同前パネル側の側面断面図である。
【図５】同前パネル側の平面断面図である。
【図６】同前パネル側の背面図である。
【図７】同前パネル側の後斜視図である。
【図８】同前パネル側の分解斜視図である。
【図９】同要部の拡大断面図である。
【図１０】同要部の拡大断面図である。
【図１１】本発明の第２の実施例を示す側面断面図である。
【図１２】本発明の第３の実施例を示す平面断面図である。
【符号の説明】
【００５０】
１  遊技機本体
６  前パネル
１７  画像表示窓
１８  回転表示窓
１９  液晶表示手段（画像表示手段）
２０  回転リール
２１  回転表示手段
３０  保持ケース（保持枠）
３２  液晶表示パネル（画像表示パネル）
３７  突出部
４１  取り付け部
４２  パネル本体
４３  窓枠
４９  上開口部
５０  下開口部
５１  上取り付け枠
５２  下取り付け枠
５３  取り付け部
５９  収容部
【図１】
2008279053.tif 000003
【図２】
2008279053.tif 000004
【図３】
2008279053.tif 000005
【図４】
2008279053.tif 000006
【図５】
2008279053.tif 000007
【図６】
2008279053.tif 000008
【図７】
2008279053.tif 000009
【図８】
2008279053.tif 000010
【図９】
2008279053.tif 000011
【図１０】
2008279053.tif 000012
【図１１】
2008279053.tif 000013
【図１２】
2008279053.tif 000014